(57)【要約】【課題】商用交流電源の電圧変動にも拘らず省エネ化を実現することにある。【解決手段】  速度指令に応じた交流電力を出力するようにインバータ４を制御し、電動機１１を駆動する駆動制御部５と、回生運転時に回生電力を蓄電し、力行運転時に蓄電電力を放出する複数電池の蓄電装置３４と、電池相互の電圧減り具合の偏りが偏り許容値より大きいか否かを監視する電圧変化監視部３５ｂと、電池相互の電圧減り具合の偏りが小さいとき整流回路出力ライン間の電圧変動に依存する電流指令を出力し、当該偏りが大きいとき前記電圧変動に依存しつつ電流を抑制する方向の電流指令を出力する電流指令出力手段３６と、偏りが小さいとき規定電流バイアス値を電流指令にプラスし、偏りが大きいとき規定電流バイアス値よりも小さい電流バイアス値をプラスする電流バイアス設定部３７と、電流バイアス値をプラスした電流指令のもとに、回生・力行運転時に蓄電装置に対する充放電を制御する電流制御部３８とを設けたエレベータ制御装置である。【選択図】      図１
2005324880.tif 000002
【特許請求の範囲】
【請求項１】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令のもとに前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
前記整流回路の出力ライン間の直流電圧の電圧変動に依存する電流指令を出力する電流指令出力手段と、
前記整流回路の出力ライン間の直流電圧の電圧変動に基づいて電流バイアス値を変更し、前記電流指令にプラスするように設定する電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【請求項２】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令のもとに前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
この蓄電装置を構成する各電池相互の蓄電電圧の減り具合の偏りが予め定める偏り許容値よりも大きいか否かを監視する電圧変化監視手段と、
この電圧変化監視手段から各電池相互の蓄電電圧の減り具合の偏りが小さいとの監視結果を受けた場合に前記整流回路の出力ライン間の直流電圧の電圧変動に依存する電流指令を出力し、当該減り具合の偏りが大きいとの監視結果を受けた場合に前記直流電圧の電圧変動に依存しつつ電流を抑制する方向の電流指令を出力する電流指令出力手段と、
前記整流回路の出力ライン間の直流電圧の電圧変動に基づいて電流バイアス値を変更し、前記電流指令にプラスするように設定する電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【請求項３】
請求項１及び２に記載のエレベータ制御装置において、
前記電流バイアス値をプラスした電流指令が所定の上限値を越えたときに飽和し、この飽和した上限値を電流指令として前記充放電電流制御手段に流入するリミッタ手段を設けたことを特徴とするエレベータ制御装置。
【請求項４】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令と前記電動機の速度の偏差から得られる制御トルクと前記乗りかごの積載荷重のもとに付加されるトルク補償値とのトータルトルクに基づいて前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
前記整流回路の出力ライン間の直流電圧の電圧変動に依存する電流指令を出力する電流指令出力手段と、
前記駆動制御手段のトータルトルクの大きさに基づいて電流バイアス値を変更し、前記電流指令にプラスするように設定する電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【請求項５】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令と前記電動機の速度の偏差から得られる制御トルクと前記乗りかごの積載荷重のもとに付加されるトルク補償値とのトータルトルクに基づいて前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
この蓄電装置を構成する各電池相互の蓄電電圧の減り具合の偏りが予め定める偏り許容値よりも大きいか否かを監視する電圧変化監視手段と、
この電圧変化監視手段から各電池相互の蓄電電圧の減り具合の偏りが小さいとの監視結果を受けた場合に前記整流回路の出力ライン間の直流電圧の電圧変動に依存する電流指令を出力し、当該減り具合の偏りが大きいとの監視結果を受けた場合に前記直流電圧の電圧変動に依存しつつ電流を抑制する方向の電流指令を出力する電流指令出力手段と、
前記駆動制御手段のトータルトルクの大きさに基づいて電流バイアス値を変更し、前記電流指令にプラスするように設定する電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【請求項６】
請求項４及び５に記載のエレベータ制御装置において、
前記電流バイアス値をプラスした電流指令が所定の上限値を越えたときに飽和し、この飽和した上限値を電流指令として前記充放電電流制御手段に流入するリミッタ手段を設けたことを特徴とするエレベータ制御装置。
【請求項７】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令のもとに前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
前記整流回路の出力ライン間の直流電圧の電圧変動に依存する電流指令を出力する電流指令出力手段と、
前記整流回路の出力ライン間の直流電圧の微分変化に基づいて電流バイアス値を変更し、前記電流指令にプラスするように設定する電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【請求項８】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令のもとに前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
この蓄電装置を構成する各電池相互の蓄電電圧の減り具合の偏りが予め定める偏り許容値よりも大きいか否かを監視する電圧変化監視手段と、
この電圧変化監視手段から各電池相互の蓄電電圧の減り具合の偏りが小さいとの監視結果を受けた場合に前記整流回路の出力ライン間の直流電圧の電圧変動に依存する電流指令を出力し、当該減り具合の偏りが大きいとの監視結果を受けた場合に前記直流電圧の電圧変動に依存しつつ電流を抑制する方向の電流指令を出力する電流指令出力手段と、
前記整流回路の出力ライン間の直流電圧の微分変化に基づいて電流バイアス値を変更し、前記電流指令にプラスするように設定する電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【請求項９】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令のもとに前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
前記整流回路の出力ライン間の直流電圧の電圧変動に依存する電流指令を出力する電流指令出力手段と、
前記交流電源から出力される交流電力の低下に基づいて電流バイアス値を変更し、前記電流指令にプラスするように設定する電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【請求項１０】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令のもとに前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
この蓄電装置を構成する各電池相互の蓄電電圧の減り具合の偏りが予め定める偏り許容値よりも大きいか否かを監視する電圧変化監視手段と、
この電圧変化監視手段から各電池相互の蓄電電圧の減り具合の偏りが小さいとの監視結果を受けた場合に前記整流回路の出力ライン間の直流電圧の電圧変動に依存する電流指令を出力し、当該減り具合の偏りが大きいとの監視結果を受けた場合に前記直流電圧の電圧変動に依存しつつ電流を抑制する方向の電流指令を出力する電流指令出力手段と、
前記交流電源から出力される交流電力の低下に基づいて電流バイアス値を変更し、前記電流指令にプラスするように設定する電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【請求項１１】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令と前記電動機の速度の偏差から得られる制御トルクと前記乗りかごの積載荷重のもとに付加されるトルク補償値とのトータルトルクに基づいて前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
前記整流回路の出力ライン間の直流電圧の電圧変動に依存する電流指令を出力する電流指令出力手段と、
前記駆動制御手段の前記電動機速度と前記トータルトルクとから得られる消費電力の低下に基づいて電流バイアス値を変更し、前記電流指令にプラスするように設定する電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【請求項１２】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令と前記電動機の速度の偏差から得られる制御トルクと前記乗りかごの積載荷重のもとに付加されるトルク補償値とのトータルトルクに基づいて前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
この蓄電装置を構成する各電池相互の蓄電電圧の減り具合の偏りが予め定める偏り許容値よりも大きいか否かを監視する電圧変化監視手段と、
この電圧変化監視手段から各電池相互の蓄電電圧の減り具合の偏りが小さいとの監視結果を受けた場合に前記整流回路の出力ライン間の直流電圧の電圧変動に依存する電流指令を出力し、当該減り具合の偏りが大きいとの監視結果を受けた場合に前記直流電圧の電圧変動に依存しつつ電流を抑制する方向の電流指令を出力する電流指令出力手段と、
前記駆動制御手段の前記電動機速度と前記トータルトルクとから得られる消費電力の低下に基づいて電流バイアス値を変更し、前記電流指令にプラスするように設定する電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【請求項１３】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令のもとに前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
前記整流回路の出力ライン間の直流電圧の電圧変動に依存する電流指令を出力する電流指令出力手段と、
前記電流指令に規定の電流バイアス値をプラスする電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【請求項１４】
交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令のもとに前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、
この蓄電装置を構成する各電池相互の蓄電電圧の減り具合の偏りが予め定める偏り許容値よりも大きいか否かを監視する電圧変化監視手段と、
この電圧変化監視手段から各電池相互の蓄電電圧の減り具合の偏りが小さいとの監視結果を受けた場合に前記整流回路の出力ライン間の直流電圧の電圧変動に依存する電流指令を出力し、当該減り具合の偏りが大きいとの監視結果を受けた場合に前記直流電圧の電圧変動に依存しつつ電流を抑制する方向の電流指令を出力する電流指令出力手段と、
前記電圧変化監視手段から減り具合の偏りが小さいとの監視結果を受けた場合に規定の電流バイアス値を前記電流指令にプラスし、前記減り具合の偏りが大きいとの監視結果を受けた場合に前記規定電流バイアス値よりも小さい電流バイアス値をプラスする電流バイアス設定手段と、
前記電流バイアス値をプラスした電流指令のもとに、前記回生運転時及び力行運転時に前記蓄電装置に対する充放電を制御する充放電電流制御手段とを備えたことを特徴とするエレベータ制御装置。
【発明の詳細な説明】
【技術分野】
【０００１】
本発明は、商用交流電源の電圧変動にも拘らず省エネ化を実現するエレベータ制御装置に関する。
【背景技術】
【０００２】
一般に、エレベータ制御装置は、図８に示すように所定の電動機駆動電力を供給する制御駆動系と、この制御駆動系から供給される駆動電力に基づいて乗りかごを昇降するロープ式エレベータとで構成されている。
【０００３】
この制御駆動系は、商用交流電源１、整流回路２、平滑コンデンサ３、この平滑コンデンサ３で平滑化された直流電力を所要周波数の交流電力に変換して電動機１１に供給するインバータ４及びこのインバータ４等を制御する駆動制御部５が設けられている。
【０００４】
一方、ロープ式エレベータは、電動機１１、この電動機１１の回転軸に接続されるメインシーブ１２に巻き掛けられたロープ１３、このロープ１３の端部にそれぞれ吊下げられた乗りかご１４及び釣り合いおもり１５が設けられている。１６はそらせシーブである。
【０００５】
ところで、このようなエレベータ制御装置では、乗りかご１４が釣り合いおもり１５より重い積載荷重状態で上昇する場合や釣り合いおもり１５より軽い積載荷重状態で下降する場合、商用交流電源１→整流回路２→平滑コンデンサ３→インバータ４の順序で生成される電力を電動機１１に供給する力行運転を実施し、逆に乗りかご１４が釣り合いおもり１５より重い積載荷重状態で下降する場合や釣り合いおもり１５より軽い積載荷重状態で上昇する場合、電動機１１→インバータ４→平滑コンデンサ３の順序で電力を発電する回生運転が行われる。この回生運転時、電動機１１からインバータ４に戻ってくる電力は、整流回路２でブロックされるので、インバータ入力端側の電圧が増加し、整流回路２やインバータ４を構成する素子を破損させる問題がある。
【０００６】
そこで、従来、回生運転時に電動機１１からインバータ４に戻ってくる電力による電圧増加分に見合う電力を消費する必要から、整流回路２の直流出力ライン間に自己消弧素子６と抵抗７とのシリアル回路である抵抗チョッパ８を接続し、回生運転時に直流出力ライン間の直流電圧が設定電圧を越えたとき、駆動制御部５が自己消弧素子６をオンする制御信号を送出し、電圧増加分に見合う電力を抵抗７で消費させる構成をとっている（特許文献１）。
【０００７】
しかしながら、このようなエレベータ制御装置では、回生運転時に電動機１１から生ずる電力を抵抗７で熱として消費しているので、回生運転で得られる電力を有効に利用できない問題がある。
【０００８】
そこで、特許文献１の技術では、以上のような問題点を解決するために、図９に示すようにインバータ４の入力側直流電圧ライン間に接続され、回生運転時の電力エネルギーを蓄積するエネルギー蓄積装置２１と、平滑コンデンサ３間電圧から回生運転及び力行運転を判断し、エネルギー蓄積装置２１に対して充放電制御を実施する充放電制御部２２とを設けたエレベータ制御装置が開発されている。このエネルギー蓄積装置２１は、回生運転時、充放電制御部２２からの充電制御信号を受けてオン動作し、吸収用リアクトル２３を介して回生運転時の電力エネルギーをエネルギー蓄積用コンデンサ２４に蓄積させる吸収用スイッチング素子２５と、充放電制御部２２からの制御信号によりオン動作した後にオフ動作し、エネルギー蓄積用コンデンサ２４に蓄積させている電力エネルギーを放出用リアクトル２６を介して直流電圧ライン間に放出する放出用スイッチング素子２７とが設けられている。２８は電圧検出器である。
【特許文献１】特開平１０−２３６７４３号公報
【発明の開示】
【発明が解決しようとする課題】
【０００９】
従って、以上のようなエレベータ制御装置では、回生運転と力行運転とを判断し、回生運転時に電動機１１から生成される電力をエネルギー蓄積用コンデンサ２４に蓄積し、また力行運転時に蓄積された電力エネルギーを放出して力行運転に利用することから、回生エネルギーを有効に利用することができる。なお、蓄積用コンデンサ２４に代わって充放電可能な鉛蓄電池を用いたものも提案されている。
【００１０】
ところで、従来、以上のような制御装置では、平滑コンデンサ３で平滑化された直流電圧を電圧検出器２８で検出し、この電圧検出器２８で検出される直流電圧の大きさ、つまり整流回路２の整流出力電圧よりも大きいか否かに応じて充放電制御部２２が回生運転か力行運転かを判断するだけでなく、前記電圧検出器２８で検出される直流電圧の電圧変動が大きい場合、スイッチング素子２５，２７を高速度でオン・オフ制御を行って多くの電流を流し、一方、電圧検出器２８で検出される直流電圧の電圧変動が小さい場合、スイッチング素子２５，２７を低速度でオン・オフ制御を行って少ない電流を流すように制御している。
【００１１】
その結果、平滑コンデンサ３側の直流電圧の電圧変動によってエネルギー蓄積装置２１側からの省エネの電流値が大幅に変化してしまう問題がある。
【００１２】
また、蓄電装置として機能する複数の蓄積用コンデンサ２４や複数の鉛蓄電池などに性能劣化などのばらつきがあり、電圧検出器２８で検出される直流電圧の電圧変動に応じて一律に充放電電流を変化させることは、複数の蓄積用コンデンサ２４や複数の鉛蓄電池の劣化を速め、寿命が短くなってしまうなどの問題がある。
【００１３】
本発明は上記事情に鑑みてなされたもので、蓄電装置を構成する個々の電池の状況を考慮し、直流電圧の変動による電流指令だけでなく、所定のバイアス電流を与えることにより、省エネ率を高めるエレベータ制御装置を提供することを目的とする。
【課題を解決するための手段】
【００１４】
（１）  上記課題を解決するために、本発明は、交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令のもとに前記可変電圧可変周波数の交流電力を出力するように前記インバータを制御する駆動制御手段とを設けたエレベータ制御装置において、前記電動機の回生運転時に回生電力エネルギーを蓄電し、当該電動機の力行運転時に前記蓄電されたエネルギーを前記インバータ側に放出する複数の電池で構成される蓄電装置と、前記整流回路の出力ライン間の直流電圧の電圧変動に依存する電流指令を出力する電流指令出力手段と、前記整流回路の出力ライン間の直流電圧の電圧変動に基づいて電流バイアス値を変更し、前記電流指令にプラスするように設定する電流バイアス設定手段と、前記電流バイアス値をプラスした電流指令のもとに、前記回生運転時及び力行運転時に前記蓄電装置に対する充放電を制御する充放電電流制御手段とを設けた構成である。
【００１５】
この発明は以上のような構成とすることにより、電流指令出力手段は、整流回路の出力ライン間の直流電圧の電圧変動に依存させて電流指令の大きさを変更する。一方、電流バイアス設定手段は、電流バイアス値を変更し、充放電電流制御手段が大きな電流指令により充放電制御を行って交流電源側の消費エネルギーを少なくする。また、電流バイアス設定手段は、前記整流回路の出力ライン間の直流電圧の電圧変動に基づいて電流バイアス値を変更し、電流指令出力手段からの電流指令にプラスし、充放電電流制御手段が各電池の性能劣化を極力少ない状態となるように充放電制御を行い、回生運転時のエネルギーを有効に利用し、全体として交流電源の消費エネルギーを少なくし、省エネ率の向上を図ることが可能となる。
【００１６】
また、本発明は、交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令のもとに前記可変電圧可変周波数の交流電力を出力するように前記インバータを制御する駆動制御手段とを設けたエレベータ制御装置において、前記電動機の回生運転時に回生電力エネルギーを蓄電し、当該電動機の力行運転時に前記蓄電されたエネルギーを前記インバータ側に放出する複数の電池で構成される蓄電装置と、この蓄電装置を構成する各電池相互の蓄電電圧の減り具合の偏りが予め定める偏り許容値よりも大きいか否かを監視する電圧変化監視手段と、この電圧変化監視手段から各電池相互の蓄電電圧の減り具合の偏りが小さいとの監視結果を受けた場合に前記整流回路の出力ライン間の直流電圧の電圧変動に依存する電流指令を出力し、当該減り具合の偏りが大きいとの監視結果を受けた場合に前記直流電圧の電圧変動に依存しつつ電流を抑制する方向の電流指令を出力する電流指令出力手段と、前記整流回路の出力ライン間の直流電圧の電圧変動に基づいて電流バイアス値を変更し、前記電流指令にプラスするように設定する電流バイアス設定手段と、前記電流バイアス値をプラスした電流指令のもとに、前記回生運転時及び力行運転時に前記蓄電装置に対する充放電を制御する充放電電流制御手段とを設けた構成である。
【００１７】
この発明は以上のような構成とすることにより、電圧変化監視手段は、蓄電装置を構成する各電池相互の蓄電電圧の減り具合の偏りが予め定める偏り許容値よりも大きいか否かを監視し、その監視結果を電流指令出力手段及び電流バイアス設定手段に送出する。電流指令出力手段は、各電池相互の蓄電電圧の減り具合の偏りが小さいとの監視結果を受けた場合には各電池の性能が十分に維持され、かつ均等に機能するので、整流回路の出力ライン間の直流電圧の電圧変動に依存させて電流指令の大きさを変更し、当該減り具合の偏りが大きいとの監視結果を受けた場合には直流電圧の電圧変動に依存しつつ電流を抑制する方向の電流指令を出力する。一方、電流バイアス設定手段は、電圧変化監視手段から減り具合の偏りが小さいとの監視結果を受けた場合に電流バイアス値を変更し、充放電電流制御手段が大きな電流指令により充放電制御を行って交流電源側の消費エネルギーを少なくする。また、電流バイアス設定手段は、減り具合の偏りが大きいとの監視結果を受けた場合に前記電流バイアス値にプラスし、充放電電流制御手段が各電池の性能劣化を極力少ない状態となるように充放電制御を行い、回生運転時のエネルギーを有効に利用し、全体として交流電源の消費エネルギーを少なくし、省エネ率の向上を図ることが可能となる。
【００１８】
なお、前記電流バイアス値をプラスした電流指令が所定の上限値を越えたときに飽和し、この飽和した上限値を電流指令として前記充放電電流制御手段に流入するリミッタ手段を設ければ、電流指令の暴走，ひいては誤動作による影響を回避することが可能である。
【００１９】
（２）また、本発明は、交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令と前記電動機の速度の偏差から得られる制御トルクと前記乗りかごの積載荷重のもとに付加されるトルク補償値とのトータルトルクに基づいて前記可変電圧可変周波数の交流電力を出力するように前記インバータを制御する駆動制御手段とを設けたエレベータ制御装置において、前記電動機の回生運転時に回生電力エネルギーを蓄電し、当該電動機の力行運転時に前記蓄電されたエネルギーを前記インバータ側に放出する複数の電池で構成される蓄電装置と、前記整流回路の出力ライン間の直流電圧の電圧変動に依存する電流指令を出力する電流指令出力手段と、前記駆動制御手段のトータルトルクの大きさに基づいて電流バイアス値を変更し、前記電流指令にプラスするように設定する電流バイアス設定手段と、前記電流バイアス値をプラスした電流指令のもとに、前記回生運転時及び力行運転時に前記蓄電装置に対する充放電を制御する充放電電流制御手段とを設けた構成である。
【００２０】
この発明は以上のような構成とすることにより、電流指令出力手段は、整流回路の出力ライン間の直流電圧の電圧変動に依存させて電流指令の大きさを変更し、直流電圧の電圧変動に依存する電流指令を出力する。
【００２１】
一方、電流バイアス設定手段は、駆動制御手段のトータルトルクを取り込み、このトータルトルクの大きさに基づいて電流バイアス値を変更し、前記電流指令にプラスするように設定するので、充放電電流制御手段は、トータルトルクの大きくなるに従って電流バイアス値を大きくして充放電制御を行って交流電源側の消費エネルギーを大幅に少なくし、省エネ率の向上を図るものである。
【００２２】
また、本発明は、交流電源からの交流電力を直流電力に変換する整流回路と、この整流回路で変換された直流電力を可変電圧可変周波数の交流電力に変換して出力するインバータと、このインバータから出力される交流電力で駆動し乗りかごを運転走行する電動機と、予め定める走行パターンに応じた速度指令と前記電動機の速度の偏差から得られる制御トルクと前記乗りかごの積載荷重のもとに付加されるトルク補償値とのトータルトルクに基づいて前記可変電圧可変周波数の交流電力を出力するように前記インバータを制御する駆動制御手段とを設けたエレベータ制御装置において、
前記電動機の回生運転時に回生電力エネルギーを蓄電し、当該電動機の力行運転時に前記蓄電されたエネルギーを前記インバータ側に放出する複数の電池で構成される蓄電装置と、この蓄電装置を構成する各電池相互の蓄電電圧の減り具合の偏りが予め定める偏り許容値よりも大きいか否かを監視する電圧変化監視手段と、この電圧変化監視手段から各電池相互の蓄電電圧の減り具合の偏りが小さいとの監視結果を受けた場合に前記整流回路の出力ライン間の直流電圧の電圧変動に依存する電流指令を出力し、当該減り具合の偏りが大きいとの監視結果を受けた場合に前記直流電圧の電圧変動に依存しつつ電流を抑制する方向の電流指令を出力する電流指令出力手段と、前記駆動制御手段のトータルトルクの大きさに基づいて電流バイアス値を変更し、前記電流指令にプラスするように設定する電流バイアス設定手段と、前記電流バイアス値をプラスした電流指令のもとに、前記回生運転時及び力行運転時に前記蓄電装置に対する充放電を制御する充放電電流制御手段とを設けた構成である。
【００２３】
この発明は以上のような構成とすることにより、電圧変化監視手段は、蓄電装置を構成する各電池相互の蓄電電圧の減り具合の偏りが予め定める偏り許容値よりも大きいか否かを監視し、その監視結果を電流指令出力手段に送出する。電流指令出力手段は、各電池相互の蓄電電圧の減り具合の偏りが小さいとの監視結果を受けた場合には各電池の性能が十分に維持され、かつ均等に機能するので、整流回路の出力ライン間の直流電圧の電圧変動に依存させて電流指令の大きさを変更し、当該減り具合の偏りが大きいとの監視結果を受けた場合には直流電圧の電圧変動に依存しつつ電流を抑制する方向の電流指令を出力する。
【００２４】
一方、電流バイアス設定手段は、駆動制御手段のトータルトルクを取り込み、このトータルトルクの大きさに基づいて電流バイアス値を変更し、前記電流指令にプラスするように設定するので、充放電電流制御手段は、トータルトルクの大きくなるに従って電流バイアス値を大きくするが、減り具合の偏りが大きいとの監視結果を受けた場合に抑制された電流指令となっているので、各電池の性能劣化を極力少ない状態となるように充放電制御を行い、かつ各電池相互の偏りが少ないときには直流電圧の電圧変動に依存し、かつトルクの大きさにしたがって、大きな電流指令のもとに充放電制御を行って交流電源側の消費エネルギーを大幅に少なくし、省エネ率の向上を図るものである。
【００２５】
（３）  なお、電流バイアス設定手段による電流バイアスの可変は、次のように各種の手段によって実現できる。
【００２６】
（Ｉ）  前記整流回路の出力ライン間の直流電圧の微分変化に基づいて電流バイアス値を変更し、電流指令出力手段からの電流指令にプラスする。
【００２７】
（II）  前記交流電源から出力される交流電力の低下に基づいて電流バイアス値を変更し、電流指令出力手段からの電流指令にプラスする。
【００２８】
（III）  前記駆動制御手段の前記電動機速度と前記トータルトルクとから得られる週費電力の低下に基づいて電流バイアス値を変更し、電流指令出力手段からの電流指令にプラスする。
【００２９】
（IV）  前記整流回路の出力ライン間の直流電圧の電圧変動に基づいて規定電流バイアスに電流指令出力手段からの電流指令にプラスする。
【発明の効果】
【００３０】
本発明は、直流電圧の変動による電流指令だけでなく、所定のバイアス電流を与えることにより、省エネ率を高めることができるエレベータ制御装置を提供できる。
【発明を実施するための最良の形態】
【００３１】
以下、本発明の実施の形態について図面を参照して説明する。  
図1は本発明に係るエレベータ制御装置の一実施の形態を示す構成図である。なお、同図において図７と同一又は等価な部分には同一符号を付して説明する。  
このエレベータ制御装置は、所要の交流電力を供給して電動機１１を駆動する駆動制御系と、この駆動制御系からの電力を受けて電動機１１が乗りかご１４を昇降運転するロープ式エレベータと、充放電電流制御系とによって構成されている。
【００３２】
この駆動制御系は、商用交流電源１から出力される三相交流電力を直流電力に変換する整流回路２と、この整流回路２で変換された直流電力を平滑化する平滑コンデンサ３と、この平滑コンデンサ３で平滑化された直流電力を所要周波数の三相交流電力に変換して電動機１１に供給するインバータ４と、予め定めた走行パターンに応じた速度指令と電動機１１の回転速度とに基づいてインバータ４を制御し、速度指令に応じた周波数の三相交流電力を出力させる駆動制御部５とが設けられている。８は自己消弧素子６と抵抗７がシリアル接続された抵抗チョッパである。
【００３３】
一方、ロープ式エレベータは、従来から一般に使用されている構成のものが用いられ、例えば電動機１１、この電動機１１の回転軸に接続されるメインシーブ１２に巻き掛けられたロープ１３、このロープ１３の端部にそれぞれ吊下げられた乗りかご１４及び釣り合いおもり１５、乗りかご１４と釣り合いおもり１５との干渉を回避するためにメインシーブ１２から釣り合いおもり１５に導くロープ１３の吊り下げ位置をずらすそらせシーブ１６等が設けられている。
【００３４】
前記充放電電流制御系としては、整流回路２の直流出力ライン間に接続される例えば自己消弧形素子などの複数の充放電制御素子３１ａ，３１ｂ及びこれら充放電制御素子３１ａ，３１ｂの共通接続部に接続され、直流電力を平滑化する機能をもった直流リアクトル３２からなる充放電回路３３と、この充放電回路３３に接続され、前記電動機１１の回生運転時の回生エネルギーを蓄電し、当該電動機１１の力行運転時に蓄電されたエネルギーを放出する複数の電池３４ａ，…，３４ｎで構成される蓄電装置３４と、各電池３４ａ，…，３４ｎ相互の蓄積電圧の減り具合の偏りを監視する偏り監視手段３５と、この偏り監視手段３５の監視結果に基づいて増減する電流指令を出力する電流指令出力手段３６と、前記偏り監視手段３５の監視結果に基づいて異なる電流バイアス値を出力する電流バイアス設定部３７と、電流バイアス設定部３７の電流バイアス値と電流指令出力手段３６の電流指令とに基づいて、複数の充放電制御素子３１ａ，３１ｂを充放電制御する充放電電流制御部３８とによって構成されている。
【００３５】
前記偏り監視手段３５は、各電池３４ａ，…，３４ｎの蓄積電圧を検出する電圧検出部３５ａ１，…，３５ａｎ及び各電池３４ａ，…，３４ｎの性能劣化の目安となる各電池相互の減り具合の偏り許容値が設定され、これら電圧検出部３５ａ１，…，３５ａｎで検出される各電池３４−１，…，３４−ｎの蓄積電圧の減り具合の偏りが偏り許容値を越えているか否か，つまり各電池相互の電圧の減り具合の偏りが大きいか否かを監視する電圧変化監視部３５ｂが設けられ、その監視結果を電流指令出力手段３６及び電流バイアス設定部３７に送出する。
【００３６】
この電流指令出力手段３６は、電圧変化監視部３５ｂから電池３４ａ，…，３４ｎ相互の蓄積電圧の減り具合の偏りが小さいとする監視結果を受けたとき、予め定める規定電圧指令を出力し、蓄積電圧の減り具合の偏りが大きいとする監視結果を受けたとき、電流を抑制する方向に動作させるために規定電圧指令によりも小さな電圧指令を出力する電圧指令装置３６ａ、平滑コンデンサ３側の直流電圧を検出する電圧検出部３６ｂ、この電圧指令装置３６ａと電圧検出部３６ｂの両電圧差（電圧変動値に相当する）に応じた電流指令を演算出力する電流指令値出力要素３６ｃ、前記蓄電装置３４の蓄電電流を検出する電流検出部３６ｄ、電流指令値出力要素３６ｃから出力される電流指令から電流検出部３６ｄで検出される蓄電装置３４の蓄電電流を減算し、前述する直流電圧の電圧変動値による電流指令として出力する演算要素３６ｅ等によって構成されている。
【００３７】
前記バイアス電流設定部３７は、電圧変化監視部３５ｂから各電池３４ａ，…，３４ｎ相互の蓄積電圧の減り具合の偏りが小さいとする監視結果を受けたとき、予め定める規定電流バイアス値を出力し、また蓄積電圧の減り具合の偏りが大きいとする監視結果を受けたとき、各電池３４ａ，…，３４ｎの性能劣化に影響を与えないように規定電流バイアス値よりも小さい電流バイアス値を出力する機能をもっている。
【００３８】
従って、電流指令出力手段３６を構成する演算要素３６ｅとしては、電流バイアス設定部３７からの電流バイアス値に直流電圧の電圧変動による電流指令をプラスした電流指令を出力し、充放電電流制御部３８に送出する。
【００３９】
次に、以上のようなエレベータ制御装置の動作について説明する。
【００４０】
一般に、商用交流電源１を用いて電動機１１を駆動し、乗りかご１４の昇降制御を実施するが、充放電電流制御部３８は、平滑コンデンサ３の直流電圧から電動機１１が回生運転であると判断すると、充放電回路３３を充電制御し、電動機１１で発電される回生エネルギーを蓄電装置３４に蓄電し、一方、平滑コンデンサ３の直流電圧から電動機１１が力行運転であると判断すると、充放電回路３３を放電制御し、蓄電装置３４に蓄電されるエネルギーを平滑コンデンサ３側に放電する。従って、電動機１１の力行運転時、蓄電装置３４に蓄電されるエネルギーを利用するので、商用交流電源１の省エネ化を実現することが可能である。
【００４１】
さらに、蓄電装置３４の性能劣化に影響を与えない限り、充放電回路３３の充放電時に蓄電装置３４に大きな充放電電流を流して充放電すれば、その分だけ商用交流電源１の消費エネルギーが少なくなり、省エネ率を高めることが可能となる。
【００４２】
そこで、本発明装置では、充放電電流制御部３８は、電圧指令装置３６ａから出力される図２（ａ）に示す電圧指令イと平滑コンデンサ３の直流電圧ロとの電圧差，つまり負荷による直流電圧の電圧変動の大きさに応じた同図（ｂ）に示す電流指令と、電流検出部３６ｄによる蓄電装置３４の蓄電電流との差電流に相当する電流指令信号に基づいて充放電電流を制御するが、さらに電流バイアス設定部３７から同図(c)に示す所定の電流バイアス値を設定し、演算要素３６eにて電流バイアス値に前記電流指令を上乗せした電流指令を取り出し、充放電電流制御部３８に送出する。
【００４３】
この充放電電流制御部３８は、電流バイアス値に電流指令を上乗せした電流指令に基づく充放電電流となるように充放電回路３３を充放電制御し、電動機１１から発電される回生エネルギーを蓄電装置３４に蓄電し、電動機１１の力行運転時、蓄電装置３４に蓄電されるエネルギーを利用することにより、商用交流電源１の消費エネルギーを極力少なくし、省エネ率を高める。
【００４４】
しかし、充放電回路３３の充放電電流を増大することは蓄電装置３４を構成する核電池３４ａ，…，３４ｎの性能を劣化させる要因となる。
【００４５】
そこで、電圧変化監視部３５ｂは、蓄電装置３４を構成する電池３４ａ，…，３４ｎ相互の蓄積電圧の減り具合の偏りと予め設定される偏り許容値とを比較し、各電池３４ａ，…，３４ｎ相互の蓄積電圧の減り具合の偏りが偏り許容値を越えているとき、各電池３４ａ，…，３４ｎの電圧減り具合の偏りが大きいことを確認し、その監視結果を電流バイアス設定部３７及び電圧指令装置３６ａに送出する。
【００４６】
各電池３４ａ，…，３４ｎ相互の蓄積電圧の減り具合の偏りが小さい場合、電流バイアス設定部３７及び電圧指令装置３６ａはそれぞれ規定電流バイアス値及び予め定める規定の電圧指令を出力するが、減り具合の偏りが大きいとする監視結果を受けた場合、電流バイアス設定部３７は規定電流バイアス値よりも小さい電流バイアス値を設定し、また電圧指令装置３６ａは電流を抑制する方向に動作させるように規定電圧指令よりも小さい電圧指令を出力する。よって、全体として商用交流電源１の消費エネルギーを小さくすることを念願しつつ、蓄電装置３４の性能劣化も考慮しつつ充放電回路３３の充放電電流を増大し、省エネ率を高めるものである。
【００４７】
図３は本発明に係るエレベータ制御装置の他の実施の形態を示す構成図である。なお、同図において、図１と同一又は等価な部分には同一符号を付し、その詳しい説明は図１に譲る。
【００４８】
この実施の形態は、演算要素３６ｅと充放電電流制御部３８との間にリミッタ回路４０を設けることにより、各構成要素の故障等を含む誤動作による電流指令の暴走を回避し、蓄電装置３４や充放電回路３３の損傷を未然に回避するものである。
【００４９】
図４は本発明に係るエレベータ制御装置のさらに他の実施の形態を示す構成図である。なお、同図において、図１と同一又は等価な部分には同一符号を付し、その詳しい説明は図１に譲る。
【００５０】
この実施の形態は、電圧変化監視部３５ｂによる蓄電装置３４を構成する各電池３４ａ，…，３４ｎ相互の蓄積電圧の減り具合の偏りの監視結果を電圧指令装置３６ａに送出し、電流バイアス設定部３７には電圧変化監視部３５ｂの監視結果ではなく、電動機１１のトルクの大きさに基づく信号を入力する構成である。
【００５１】
以下、乗りかご１４の昇降運転を行う電動機１１のトルクを取得しインバータ４を制御するエレベータ運転制御系について説明する。  
このエレベータ運転制御系は、電動機１１の回転速度を検出する速度検出部４１と、予めエレベータの走行パターンが設定され、起動指令を受けると当該走行パターンに応じた速度指令を出力する速度指令部４２と、この速度指令部４２からの速度指令と速度検出部４１の検出速度とを比較し、その偏差が零となるようなトルク指令値を演算し出力する速度制御部４３と、例えば乗りかご１４の積載重量に応じて選択的にオン動作する複数のスイッチ素子からなる荷重検出スイッチ４４とが設けられている。
【００５２】
この荷重検出スイッチ４４は、例えば乗りかご１４の積載重量が所要の積載重量（釣合う重量）よりも軽量な時に動作するスイッチ素子４４（１）、所要の積載重量を含んだ所定範囲の中間重量時に動作するスイッチ素子４４（２）、この中間重量よりも重い重量時に動作するスイッチ素子４４（３）からなり、これらスイッチのオン動作による荷重信号が荷重信号演算部４５に送られる。この荷重信号演算部４５は、荷重検出スイッチ４４（１）〜４４（３）で検出される荷重信号をトルク補償値に変換し出力するものであって、例えば荷重検出スイッチ４４（１）、４４（２）、４４（３）で検出される荷重信号に対して−１０、０、＋１０なるトルク補償値（回転動力）に変換し出力する機能をもっている。
【００５３】
また、エレベータ運転制御系には、速度制御部４３からのトルク指令と荷重信号演算部４５からのトルク補償値とのトータルトルク指令値を演算し出力するトルク指令判断部４６と、インバータ４の出力側に設けられ、インバータ電流を検出するインバータ電流検出部４７と、トータルトルク指令値のもとに得られる電動機電流のリアルタイム指令値と電流検出部４７のインバータ検出電流とに基づいてインバータ４の三相電力変換用構成素子を制御するインバータ電流制御部４８等が設けられている。
【００５４】
従って、トルク指令判断部４６から乗りかご１４の積載重量に応じてトルク補償値を考慮した電動機１１のトータルトルクを所得できるので、このトルク指令判断部４６では、トルクの大小又はトルク値自体を取り出し、電流バイアス設定部３７に送出する。この電流バイアス設定部３７は、トルク指令判断部４６から大きなトルク信号を受けたとき、規定電流バイアス値を出力し、中間を含む小さなトルク信号を受けたときには規定電流バイアス値よりも小さい電流バイアス値を出力する。なお、中間のトルク力信号と小さいトルク力信号とに分け、電流バイアス値を細分化して出力する構成であってもよい。
【００５５】
従って、以上のような実施の形態によれば、乗りかご１４の積載重量が重い重量の場合、回生運転時には大きな回生エネルギーが発生するだけでなく、トルクが大となっているので、規定電流バイアスをプラスした電流指令を出力し大きな充電電流のもとに大きな回生エネルギーを蓄電装置３４に蓄電でき、また力行運転時には大きな力行エネルギーを必要とするが、乗りかご１４の積載重量が重い重量の場合には前述同様にトルクが大となっているので、規定電流バイアスをプラスした電流指令を出力し大きな放電電流のもとに蓄電装置３４に蓄電されるエネルギーを放電でき、全体として商用交流電源１の消費エネルギーを小さくすることができ、省エネ率を高めることができる。
【００５６】
なお、前記トルクの大小に分けることなく、トルクの大きさに応じて電流バイアスを逐次変更し出力するようにしてもよい。
【００５７】
図５は本発明に係るエレベータ制御装置のさらに他の実施の形態を示す構成図である。なお、同図において、図１及び図４と同一又は等価な部分には同一符号を付し、その詳しい説明は図１及び図４に譲る。
【００５８】
この実施の形態は、図３と同様に演算要素３６ｅと充放電電流制御部３８との間にリミッタ回路４０を設け、各構成要素の故障等を含む誤動作による電流指令の暴走を回避し、蓄電装置３４や充放電回路３３の損傷を未然に回避するものである。
【００５９】
図６は本発明に係るエレベータ制御装置のさらに他の実施の形態を示す構成図である。なお、同図において、図１と同一又は等価な部分には同一符号を付し、その詳しい説明は図１に譲る。
【００６０】
この実施の形態では、電圧検出部３６として、予め所定の電圧変動値が設定され、平滑コンデンサ３側の直流電圧の電圧変動と所定の電圧変動値とを比較し、直流電圧の電圧変動が所定の電圧変動値を越えた場合には電圧変動大とする信号又は実際の電圧変動を出力し、直流電圧の電圧変動が所定の電圧変動値を越えていない場合には電圧変動小とする信号又は実際の電圧変動を出力し、電流バイアス設定部３７に送出する。
【００６１】
この電流バイアス設定部３７は、電圧変動大とする信号又は実際の電圧変動に基づいて規定電流バイアス値を出力し、電圧変動小とする信号又は実際の電圧変動に基づき規定電流バイアス値よりも小なる電流バイアス値を出力し、電流バイアス値にコンデンサ３側の直流電圧、蓄電装置３４の蓄電電流及び蓄電装置３４を構成する各電池相互の電圧減り具合の偏りから決定される電流指令を積み重ねた電流指令とし、充放電電流制御部３８に送出する。
【００６２】
この充放電電流制御部３８は、電圧変動が大なるとき、充放電回路３３に対する充放電電流を大きくするように高速度でオンオフ制御することにより、蓄電装置３４の蓄電エネルギーをより多く利用することができ、ひいては商用交流電源１の消費エネルギーを小さくし、省エネ率を高めることができる。
【００６３】
なお、電圧変動を大小に分けたが、例えば電圧検出部３６で計算された実際の電圧変動をそのまま電流バイアス設定部３７に送出するようにすれば、実際の電圧変動に応じて連続的に電流バイアス値を可変して出力することもできる。
【００６４】
図７は本発明に係るエレベータ制御装置のさらに他の実施の形態を示す構成図である。  
実施の形態は、電圧検出部３６と電流バイアス設定部３７との間に微分演算要素（図示せず）を設け、この微分演算要素によって時間ｔに対する平滑コンデンサ３側の直流電圧の電圧変化，つまり微分値ｄｖ／ｄｔを取り出す。このとき、電動機１１の負荷が大きいときには微分値が大きく、負荷が小さいときには微分値が小さいので、電流バイアス設定部３７が微分値のもとに電流バイアス値を可変し出力する構成であってもよい。
【００６５】
さらに、本発明に係るエレベータ制御装置においては、商用交流電源１の出力側に電圧検出部（図示せず）を設け、この電圧検出部で検出される商用交流電源１の電源電圧を電流バイアス設定部３７に送出し、電源電圧の低下に応じて電流バイアス値を変更するようにしてもよい。
【００６６】
さらに、本発明に係るエレベータ制御装置においては、図４に示すトルク指令判断部４６の出力トルクＴと速度検出部４１で検出される電動機１１の回転速度ｗとを取り出し、これら出力トルクＴと回転速度ｗとを乗算し、消費電力Ｐを求めることができるので、この求めた消費電力Ｐを電流バイアス設定部３７に送出し、消費電力の低下に応じて電流バイアス値を変更する構成であってもよい。因みに、Ｐ＝Ｔ×ｗ  ←  ＝Ｖ×Ｉ×％との関係にあり、電源出力Ｖ×Ｉに対し、消費電力ＰはＶ×Ｉ×％であらわすことができ、この消費電力ＰはＴ×ｗでもあらわすことができる。
【００６７】
その他、本発明は、上記実施の形態に限定されるものでなく、その要旨を逸脱しない範囲で種々変形して実施できる。
【００６８】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００６９】
【図１】本発明に係るエレベータ制御装置の一実施の形態を示す構成図。
【図２】平滑コンデンサ側直流電圧に対する本来の電流指令と電流バイアス値との関係を示す図。
【図３】本発明に係るエレベータ制御装置の他の実施の形態を示す構成図。
【図４】本発明に係るエレベータ制御装置のさらに他の実施の形態を示す構成図。
【図５】本発明に係るエレベータ制御装置のさらに別の他の実施の形態を示す構成図。
【図６】本発明に係るエレベータ制御装置のさらに別の他の実施の形態を示す構成図。
【図７】時間に対する電圧変化である微分値と負荷との関係を説明する図。
【図８】従来のエレベータ制御装置の構成図。
【図９】回生・力行運転時に充放電動作を行う従来のエレベータ制御装置の構成図。
【符号の説明】
【００７０】
１…商用交流電源、２…整流回路、３…平滑コンデンサ、４…インバータ、５…駆動制御部、１１…電動機、１２…メインシーブ、１３…ロープ、１４…乗りかご、１５…釣り合いおもり、３１ａ，３１ｂ…充放電制御素子、３３…充放電回路、３４…蓄電装置、３４ａ，…，３４ｎ…電池、３５…偏り監視手段、３５ａ１，…，３５ａｎ…電圧検出部、３５ｂ…電圧変化監視部、３６…電流指令出力手段、３６ａ…電圧指令装置、３６ｂ…電圧検出部、３６ｃ…電流指令値出力要素、３６ｄ…電流検出部、３６ｅ…演算要素、３７…バイアス電流設定部、３８…充放電電流制御部、４０…リミッタ回路、４１…速度検出部、４２…速度指令部、４３…速度制御部、４４…荷重検出スイッチ、４５…荷重信号演算部、４６…トルク指令判断部、４７…インバータ電流検出部、４８…インバータ電流制御部。
【図１】
2005324880.tif 000003
【図２】
2005324880.tif 000004
【図３】
2005324880.tif 000005
【図４】
2005324880.tif 000006
【図５】
2005324880.tif 000007
【図６】
2005324880.tif 000008
【図７】
2005324880.tif 000009
【図８】
2005324880.tif 000010
【図９】
2005324880.tif 000011